(57)【要約】【課題】遺骨を収納する収納部を有すると共に、戒名札が装着される遺影写真用額縁を提供する。【解決手段】本発明の遺影写真用額縁１０は、フレーム１１と、透明板１２と、中間枠体１５と、裏蓋１３と、で構成され、該中間枠体１５には、遺影写真Ｓを装填可能な遺影窓部１５ａが備えられると共に、該遺影窓部１５ａに並列して戒名札１９を装填可能な戒名窓部１５ｂが備えられて成り、該裏蓋１３には後方へ突出したボックス状の収納部１４を備えると共に、フレーム１１あるいは透明板１２のいずれか一方における所定箇所には戒名札１９を装着可能とする装着部１５を設けて成る手段を採る。【選択図】図１
2020130327.tif 000002
【特許請求の範囲】
【請求項１】
遺骨を収納する収納部を有する遺影写真用額縁であって、
前記遺影写真用額縁は、フレームと、透明板と、中間枠体と、裏蓋と、で構成され、
該中間枠体には、遺影写真を装填可能な遺影窓部が備えられると共に、該遺影窓部に並列して戒名札を装填可能な戒名窓部が備えられて成り、
該裏蓋には、遺骨を収納可能な後方へ突出したボックス状の収納部が備えられて成ることを特徴とする遺影写真用額縁。
【請求項２】
前記収納部が、前記裏蓋における中央領域よりの上方に備えられて成ることを特徴とする請求項１に記載の遺影写真用額縁。
【請求項３】
前記収納部は、その下端部の突出幅が上端部の突出幅より短く形成されることで、側面視において上方から下方にかけて傾斜状に徐々に肉薄に形成されて成ることを特徴とする請求項１または請求項２に記載の遺影写真用額縁。
【請求項４】
前記フレームの下辺部に棚板が設けられて成ることを特徴とする請求項１から請求項３のいずれかに記載の遺影写真用額縁。
【発明の詳細な説明】
【技術分野】
【０００１】
本発明は、遺影写真用額縁に関し、詳しくは、遺骨を収納する収納部を有し、さらに戒名札が装着される遺影写真用額縁に関するものである。
【背景技術】
【０００２】
現代社会における「家族」の在り方が今問われている。社会文明が進化していくに連れ、核家族化による家族の孤立化現象が益々顕著になり、それが起因して起こる社会的問題が現代社会の根幹を揺るがす問題となってきている。
【０００３】
一方では、社会の高齢化ならびに少子化、ならびに家族の一人一人の孤独化、それに伴って依然と増え続けている孤独死問題がある。また、少子化問題から当然起こるべくして生じる家族の後継者問題、またそれによって生じる墓地の継承問題、己の死後に備えて墓地の購入や墓石を建立しても、それを継承する家族が途絶えて無縁墓地化してしまい、「墓終い」を余儀なくされる家族も多いとされている。
【０００４】
そのような従来における墓地問題を解決するべく、墓地、仏壇、位牌、を大切にすると共に、宗教的儀礼を伴い、さらに住宅問題や経済問題ならびに継承問題に即した額縁型の供養手段が提案されている。
【０００５】
例えば、宗教供養を全く感じさせず、従来のような大げさな墓地や墓石を必要としない、簡便な形で先祖や個人、愛玩動物を供養し、祭ることができる「平箱形額墓」（特許文献１）が提案され、公知技術となっている。
【０００６】
しかしながら、かかる「平箱形額墓」の提案は、額縁部とその裏面に接続した平箱とからなり、該平箱は、その内部に仕切板によって遺骨収納部と遺品等収納部とを形成した平箱付の額縁の提案であることから、遺骨収納部の厚みによって鴨居の上に壁掛ける場合、その厚みによって斜めに傾けて壁に掛けることができない、といった問題があるものであった。
【０００７】
また、破損しにくく取り扱いが容易で、壁面に取り付け可能な「壁面に取り付け可能な額縁状遺骨・灰収納具」（特許文献２）が提案され、公知技術となっている。
【０００８】
しかしながら、かかる「壁面に取り付け可能な額縁状遺骨・灰収納具」の提案は、壁面に取付け可能な額縁状遺骨・灰収容器具であって、遺骨・灰を収容する密封された容器をその内部に有する箱部と、前記箱部を支持し、固定する本体部と、組み立てた状態の前記額縁状遺骨・灰収容器具の他の要素を結合し、それを掲示するべく一定の場所に固定するためのベース部とを有して直接壁面に取り付ける額縁状の容器の提案であって、本発明の遺影写真用額縁のように日本間などの鴨居の上の壁に掛ける構造を有する遺影写真用額縁の提案ではなかった。
【０００９】
本出願人は、従来における遺影写真用額縁の形状に着目し、遺骨を収納する収納部を有した遺影写真用額縁を提供できないものかという着想下、遺骨を収納する収納部を有して壁面に掛けることができ、さらに戒名札が装填可能な遺影写真用額縁を開発し、本発明における「遺影写真用額縁」の提案に至るものである。
【先行技術文献】
【特許文献】
【００１０】
【特許文献１】特開２０１１−１７２６０５号公報
【特許文献２】特開２０００−３４２６４１号公報
【発明の概要】
【発明が解決しようとする課題】
【００１１】
本発明は、上記問題点に鑑み、遺骨を収納する収納部を有し、さらに戒名札が装填可能な遺影写真用額縁を提供することを課題とする。
【課題を解決するための手段】
【００１２】
上記課題を解決するため、本発明は、  遺骨を収納する収納部を有する遺影写真用額縁であって、フレームと、透明板と、中間枠体と、裏蓋と、で構成され、該中間枠体には、遺影写真を装填可能な遺影窓部が備えられると共に、該遺影窓部に並列して戒名札を装填可能な戒名窓部が備えられて成り、該裏蓋には、遺骨を収納可能な後方へ突出したボックス状の収納部が備えられて成る手段を採る。
【００１３】
また、本発明は、前記収納部が、前記裏蓋における中央領域よりの上方に備えられて成る手段を採る。
【００１４】
さらに、本発明は、前記収納部が、その下端部の突出幅が上端部の突出幅より短く形成されることで、側面視において上方から下方にかけて傾斜状に徐々に肉薄に形成されて成る手段を採る。
【００１５】
またさらに、本発明は、前記フレームの下辺部に棚板が設けられて成る手段を採る。
【発明の効果】
【００１６】
本発明にかかる遺影写真用額縁によれば、従来における遺影写真、墓地、仏壇の機能が一体化されていることで、アパートやマンションなどの狭小住宅においても壁に掛けることができる、といった優れた効果を奏する。
【００１７】
また、本発明にかかる遺影写真用額縁によれば、お寺の仏間など墓地管理者の管理下に置いて分骨供養ができることによって、無縁仏の解消ができる、といった優れた効果を奏する。
【００１８】
さらに、本発明にかかる遺影写真用額縁によれば、墓地購入やお墓建立ならびに仏壇購入が不要となることで、経済的負担の軽減に資する、といった優れた効果を奏する。
【００１９】
またさらに、本発明にかかる遺影写真用額縁によれば、自宅保管することで、日常拝礼の恒例化ならびに先祖の個人供養が容易にできる、といった優れた効果を奏する。
【００２０】
さらにまた、発明にかかる遺影写真用額縁によれば、墓地管理者の元で故人の遺骨を寄託保管することができる、といった優れた効果を奏する。
【図面の簡単な説明】
【００２１】
【図１】本発明における遺影写真用額縁の実施形態を示す説明図である。（実施例１）
【図２】本発明における遺影写真用額縁の別の実施形態を示す説明図である。（実施例２）
【図３】本発明における遺影写真用額縁の別の実施形態を示す説明図である。（実施例３）
【図４】本発明における遺影写真用額縁の別の実施形態を示す説明図である。（実施例４）
【発明を実施するための形態】
【００２２】
本発明にかかる遺影写真用額縁１０は、遺骨を収納する収納部１４を有する遺影写真用額縁１０であって、フレーム１１と、透明板１２と、中間枠体１５と、裏蓋１３と、で構成され、該中間枠体１５には、遺影写真Ｓを装填可能な遺影窓部１５ａが備えられると共に、該遺影窓部１５ａに並列して戒名札１９を装填可能な戒名窓部１５ｂが備えられて成り、該裏蓋１３には、遺骨を収納可能な後方へ突出したボックス状の収納部１４が備えられて成る手段を採用したことを最大の特徴とする。
以下、本発明にかかる遺影写真用額縁１０の実施形態を、図面に基づいて説明する。
【００２３】
尚、本発明にかかる遺影写真用額縁１０は、以下に述べる実施例に限定されるものではなく、本発明の技術的思想の範囲内、すなわち同一の作用効果を発揮できる材質や寸法等の範囲内で、適宜変更することができる。
【実施例１】
【００２４】
図１は、本発明における遺影写真用額縁の実施形態を示す説明図であり、（ａ）は分解斜視図、（ｂ）は使用状態を示す正面図である。
本発明にかかる遺影写真用額縁１０は、裏蓋１３の後方に遺骨を収納するボックス状の収納部１４を有すると共に、額縁内に中間枠体１５を備え、該中間枠体１５に遺影写真Ｓと戒名札１９を並列して装填可能な遺影写真用の額縁である。
構造的には、フレーム１１と、透明板１２と、中間枠体１５と、裏蓋１３と、で構成され、寸法的には、例えば、八切写真用額の場合、額外寸法：Ｈ３６７×Ｗ４５８mm、額内寸法：Ｈ２８８×Ｗ３７９mm、中間枠体１５の見え寸法：Ｈ２２８×Ｗ２８８mmで形成される。
【００２５】
フレーム１１は、常法の額縁用のフレーム構造を採用すれば足りるもので、素材も含め特に限定は無く、例えば木製や樹脂製で成形されている。該フレーム１１は、例えば黒色や金色の色彩から成り、鳳凰など遺影用の装飾彫や模様が必要に応じて形成されてもよい。
【００２６】
透明板１２は、常法の額縁用の表板構造を採用すれば足りるもので、素材も含め特に限定は無く、例えばフレーム１１内に納まる矩形のガラスまたは樹脂製で形成されている。
【００２７】
中間枠体１５は、透明板１２の内側に配されるもので、フレーム１１内に納まる矩形の板状物から成り、その素材について特に限定は無いが、厚紙製や木製により形成されている。該中間枠体１５には、遺影窓部１５ａが備えられると共に、該遺影窓部１５ａに並列して戒名窓部１５ｂが備えられており、夫々に遺影写真Ｓ並びに戒名札１９が装填可能となっている。
【００２８】
裏蓋１３は、遺影額縁の裏に当てがわれるもので、常法の額縁用の裏蓋構造を採用すれば足り、素材も含め特に限定は無いが、例えば矩形の木製あるいは樹脂製で形成されている。該裏蓋１３は、額縁内に遺影写真Ｓ及び戒名札１９を収めた状態で蓋をするものである。
【００２９】
収納部１４は、裏蓋１３の後方へ突出するボックス状の収納部１４であって、遺骨（粉骨）のほか、遺品や仏具などを納められる様にしてもよく、必要に応じて所用の容積を有して形成される。
【００３０】
図１（ｂ）は、本発明にかかる遺影写真用額縁１０の使用状態を示す正面図である。
図示されるように、遺影写真用額縁１０には、遺影写真Ｓ及び戒名札１９が透明板１２を介して正面から看取できるように配された状態となっている。これにより、遺影写真掲示機能、墓地機能、仏壇機能など、従来における複数の機能が一体化された構造となる。
【００３１】
以上のとおり構成される本発明の遺影写真用額縁１０は、遺影写真Ｓに納骨機能が併存されていることから、墓地購入やお墓建立が不要になると共に、該遺影写真Ｓに戒名札１９が並列して併存していることから、該遺影写真Ｓを拝しながら戒名札１９を見てその場で供養・祈祷ができるため、仏壇購入が不要となって継承者の経済的負担を軽減することができ、また、遺骨の一部を分骨して墓地管理者の管理下に遺影写真用額縁１０と共に置くことで、墓地管理者による日々の供養が可能となって無縁仏の解消ができ、他方、遺骨を遺影写真Ｓと共に自宅保管することで、日常供養の恒例化ならびに先祖の個人供養も可能となり、さらに、墓地管理者の元で故人の遺骨を寄託保管して永代供養させることも可能ならしめるものである。
【実施例２】
【００３２】
他の実施例について、図２に基づき説明する。実施例１と同様の部分は説明を省略する。図２は、本発明にかかる遺影写真用額縁１０の別の実施形態を示す説明図である。本実施例における遺影写真用額縁１０は、収納部１４が、裏蓋１３における中央領域１６より上方に備えられて成る手段を採るものである。
【００３３】
収納部１４が単なる裏蓋１３の後方へ突出するボックス状であった場合には、該収納部１４の下端が壁に突き当たって斜めに壁掛けることができない場合が想定される。そこで、収納部１４を備える位置について、裏蓋１３の下方領域に隙間を配し、裏蓋１３の中央領域１６より上方に収納部１４を備える態様を採用するものである。
【００３４】
中央領域１６の定義は、裏蓋１３を高さ方向に略均等に三分割したとき、上から上方領域、中央領域１６、下方領域とするもので、収納部１４は該中央領域１６より上方に存する領域（上方領域及び中央領域１６）に備えられる。
【００３５】
以上のとおり構成される本実施例の遺影写真用額縁１０は、収納部１４が裏蓋１３における中央領域１６より上方に備えられることによって、突出した収納部１４が壁掛け時においても壁面に当接することのない遺影写真用の額縁の提供を可能にするものである。
【実施例３】
【００３６】
他の実施例について、図３に基づき説明する。実施例１及び実施例２と同様の部分は説明を省略する。図３は、本発明にかかる遺影写真用額縁１０の別の実施形態を示す説明図である。本実施例における遺影写真用額縁１０は、収納部１４の下端部の突出幅１７ａが上端部の突出幅１７ｂより短く形成されることで、側面視において上方から下方にかけて傾斜状に徐々に肉薄に形成されて成る手段を採るものである。
【００３７】
実施例２と同様、収納部１４が単なる裏蓋１３の後方へ突出するボックス状であった場合には、該収納部１４の下端が壁に突き当たって斜めに壁掛けることができない場合が想定される。そこで、収納部１４の下端部の突出幅１７ａを上端部の突出幅１７ｂより短く形成して、上方から下方にかけて傾斜状に徐々に肉薄となる態様を採用するものである。
【００３８】
以上のとおり構成される本実施例の遺影写真用額縁１０は、収納部１４が上方から下方にかけて傾斜状に徐々に肉薄に形成されていることで、突出した収納部１４が壁掛け時においても壁面に当接することのない遺影写真用の額縁の提供を可能にするものである。
【実施例４】
【００３９】
他の実施例について、図４に基づき説明する。実施例１乃至実施例３と同様の部分は説明を省略する。図４は、本発明における遺影写真用額縁１０の別の実施形態を示す説明図である。本実施例における遺影写真用額縁１０は、フレーム１１の下辺部１８に棚板２０が設けられて成る手段を採るものである。
【００４０】
棚板２０は、所定長さ・幅・厚みを有する板状物から成り、フレーム１１の下辺部１８に備え付けられ、仏具、お酒、お水、供花などをお供えすることができるものである。該棚板２０は、壁掛け時や机上置き時に略水平となる様に設けられる。尚、該棚板２０の設置角度を調整可能とし、壁掛け時や机上置き時など、遺影写真用額縁１０を設置する場所に応じて適宜角度を変更し得る構成を採ると、なお好適である。
【００４１】
また、棚板２０は、不要時に取り外せるような着脱自在に構成されると好適である。棚板２０の着脱手段としては、溝による差し込み式、ダボ穴による嵌め込み式、ビスによるビス止め式などが考えられる。
【００４２】
以上のとおり構成される本実施例の遺影写真用額縁１０は、フレーム１１の下辺部１８に設けられた棚板２０の上に、仏具やお酒、お水、供花などが載置されてお供えされることによって、仏壇としての機能を発揮し、別途仏壇を要せず、スペースのない狭小住宅用の供養手段としての遺影写真用の額縁の提供を可能にするものである。
【産業上の利用可能性】
【００４３】
本発明にかかる遺影写真用額縁は、遺骨を収納する収納部を有すると共に、戒名札が装着可能であることで、日常供養の恒例化ならびに先祖の個人供養ができ、さらには、墓地購入やお墓建立ならびに仏壇購入が不要となることで、高額な墓地や仏壇の取得、お墓建立による経済的負担に対する不安を解消し得るものである。これはまさに、新時代の葬式革命であって、新たな発想による墓地不要葬祭への奇跡の転換とも言え、また、核家族化時代に対応すると共に、将来の家庭の在り方を問う画期的な新方式であって、特に後継者のいないご家族に対し有用なアイデアである。そして、土地を必要とする従前の墓地を、土地から切り離した斬新な設定とも言えるものであり、また、人口減時代に対応した次世代のお葬式の仕方への布石と、家族制度の崩壊を招く個人主義から必然的に派生する利己主義に根差したお葬式の軽視への起死回生の逆転発想であり、葬儀の在り方を将来の世に向かって社会に問うものでもある。
【００４４】
さらにまた、本発明にかかる遺影写真用額縁は、人のみならず、暮らしを共にしてきた最愛のペットたちにもそのまま応用できる機能を有しているものであって、本発明の産業上の利用可能性は極めて大であるものと思料する。
【符号の説明】
【００４５】
１０    遺影写真用額縁
１１    フレーム
１２    透明板
１３    裏蓋
１４    収納部
１５    中間枠体
１５ａ  遺影窓部
１５ｂ  戒名窓部
１６    中央領域
１７    突出幅
１７ａ  下端部の突出幅
１７ｂ  上端部の突出幅
１８    下辺部
１９    戒名札
２０    棚板
Ｓ    遺影写真
【図１】
2020130327.tif 000003
【図２】
2020130327.tif 000004
【図３】
2020130327.tif 000005
【図４】
2020130327.tif 000006